(57)【要約】      （修正有）【課題】閉塞している袋体の下端開口部を確実に閉塞でき、また容易且つ迅速に開放でき、袋体内の運搬物を所定の位置に安全に落下できる揚重機器用運搬袋を提供する。【解決手段】上下両端開口部１ａ，１ｂを有する袋体１と、両端側が袋体１に固着し、中間部分が袋体１の上方へ延出して揚重機器フックＱに着脱可能に係掛して袋体１の上端開口部１ａ周側面を吊持する周側面吊持帯２と、複数の帯紐の各一端側を袋体１の側面で固定し且つ各他端側を集束部３を介して連結し、吊持用フック部４を有して成る開閉索条体５とを備える。開閉索条体５の吊持用フック部４を連繋可能な仮止め係止部６ａを袋体１の周面に設ける。さらに、一端に連繋部７を、他端に揚重機器フックＱに係掛可能な係掛部８を夫々有し、袋体１の紐通し部１０に挿通する連繋索条体６を備える。【選択図】図３
0003153193.tif 000002
【実用新案登録請求の範囲】
【請求項１】
上端開口部から内部に粉末状、粒状、顆粒状、塊状の運搬物が投入され、下端開口部からこれら運搬物が排出される袋体と、両端側が袋体に固着され、中間部分が袋体の周側面に沿って上方へ延出されて揚重機器フックに対し抜脱可能となるように係掛して当該袋体の上端開口部周側面を吊持させた周側面吊持帯と、複数の帯紐の各一端側が袋体の側面に任意の間隔で固定され且つ各他端側が集束部を介して結束され、当該集束部による結束位置に吊持用フック部を有して成る開閉索条体と、下端開口部を閉塞した開閉索条体の吊持用フック部を仮止めさせるよう、袋体の上部に固定した仮止め係止部と、一端に開閉索条体の吊持用フック部を連繋可能な連繋部を有し、他端に揚重機器フックに係掛可能な係掛部を有し、袋体の周側面に付設された紐通し部に挿通されて使用される連繋索条体とを備え、運搬物の投入時では、平坦状に折り畳み、閉塞された袋体の下端開口部の折り畳み部分を、折り返した前記開閉索条体を仮止め係止部に連繋させることで保持し、また、運搬物の運搬時では、前記開閉索条体を連繋索条体を介して揚重機器フックに係掛可能として成ることを特徴とする揚重機器用運搬袋。
【請求項２】
開閉索条体を形成する複数の帯紐は、先端側に吊持用フック部を備えた主帯紐と、該主帯紐を中心にして配された左右一対の副帯紐と、主帯紐、副帯紐相互間に配した左右一対の補助帯紐とから成り、両副帯紐の各端が主帯紐の吊持用フック部側近傍に結束縫合されて集束部とし、補助帯紐の各端が両副帯紐それぞれの途中に縫合されて成る請求項１記載の揚重機器用運搬袋。
【請求項３】
開閉索条体を形成する複数の帯紐は、先端側に吊持用フック部を備えた主帯紐と、該主帯紐を中心にして左右に配された複数の副帯紐とから成り、これら副帯紐の各端が主帯紐の吊持用フック部側近傍に結束縫合されて集束部としている請求項１記載の揚重機器用運搬袋。
【考案の詳細な説明】
【技術分野】
【０００１】
本考案は、例えば土木建築作業、農作業その他で土砂、石材、セメント等の小さな破砕物、肥料や穀物、雑穀、芋、玉葱等の農産物その他、また産業廃棄物さらには各種の大小物体・品等の重量性もしくは軽量性のある各種運搬物をクレーン・フォークリフト等の揚重機器の重機類によって目的の場所に運搬し、そこで運搬物を解放落下させるようにした運搬袋である所謂トン袋またはコンテナバッグ等と称されるクレーン・フォークリフト等の揚重機器用運搬袋に関する。
【背景技術】
【０００２】
従来、この種の運搬袋として、特許されている特許文献１に開示されているクレーン・フォークリフト等の揚重機器用運搬袋なるものがある。これは、袋体の底部面に沿って、あるいは袋体の底部面から側面にかけて畳まれた底部開放体を、袋体の底部における当該底部開放体の一端開口側から袋体の側面に設けた係掛部側にかけて張架される開閉索条体を介して閉塞保持可能とした索条締結手段を備えて成る。そして、該索条締結手段は、少なくとも２つの前記開閉索条体が底部開放体の一端開口側から他端開口側にかけて当該底部開放体に固着されていて、底部開放体の他端開口側から延出した開閉索条体の端部側が袋体の側面に設けた１つまたは複数の環状の係掛部に挿通されて締結されることで使用される。また、開閉索条体は、底部開放体の他端開口側から環状となって突出形成し、袋体の側面に設けた小環状の係掛部に連繋索条体を介して当該開閉索条体が連繋締結されることもある。さらに、袋体の上側開口周縁部に、略筒状となる袋体閉塞縁部を延設させ、該袋体閉塞縁部の上縁部を閉塞帯で緊締して袋体の開口部を閉塞させることもあるとして使用される。
【先行技術文献】
【特許文献】
【０００３】
【特許文献１】特許第３４０８７７８号公報
【考案の概要】
【考案が解決しようとする課題】
【０００４】
ただ、このような特許文献１に開示されているクレーン・フォークリフト等の揚重機器用運搬袋においては、底部開放体の他端開口側から延出した開閉索条体の端部側が袋体の側面に設けた１つまたは複数の環状の係掛部に挿通されて締結されたり、または、底部開放体の他端開口側から環状となって突出形成した開閉索条体が、袋体の側面に設けた小環状の係掛部に連繋索条体を介して連繋締結されたりしてあるから、袋体側面の係掛部に対する開閉索条体端部側の脱着作業が非常に面倒である。
【０００５】
しかも、開閉索条体自体が袋体の底部に回り込んでしまい、運搬後で落下開放させるときに、縛結してあった開閉索条体自体の解放が実質的に不可能となったり、極めて困難となったりすることがあった。
【０００６】
そこで、本考案は叙上のような従来存した諸事情に鑑み創案されたもので、周側面吊持帯および連繋索条体をクレーン・フォークリフト等の揚重機器フックに直接に吊掛することで安全に運搬でき、また吊掛することで安全に運搬でき、また吊掛したままの状態で開閉索条体を連繋索条体から取り外すことにより、作業者自身で閉塞されている袋体の下端開口部を容易に開放することができ、袋体内の各種の運搬物を所定の場所に安全に落下させることができるクレーン・フォークリフト等の揚重機器用運搬袋を提供することを目的とする。
【課題を解決するための手段】
【０００７】
上述した課題を解決するために、本考案にあっては、上端開口部１ａから内部に粉末状、粒状、顆粒状、塊状の運搬物Ｐが投入され、下端開口部１ｂからこれら運搬物Ｐが排出される袋体１と、両端側が袋体１に固着され、中間部分が袋体１の周側面に沿って上方へ延出されて揚重機器フックＱに対し抜脱可能となるように係掛して当該袋体１の上端開口部１ａ周側面を吊持させた周側面吊持帯２と、複数の帯紐の各一端側が袋体１の側面に任意の間隔で固定され且つ各他端側が集束部３を介して結束され、当該集束部３による結束位置に吊持用フック部４を有して成る開閉索条体５と、下端開口部１ｂを閉塞した開閉索条体５の吊持用フック部４を仮止めさせるよう、袋体１の上部に固定した仮止め係止部６ａと、一端に開閉索条体５の吊持用フック部４を連繋可能な連繋部７を有し、他端に揚重機器フックＱに係掛可能な係掛部８を有し、袋体１の周側面に付設された紐通し部１０に挿通される連繋索条体６とを備え、運搬物Ｐの投入時では、平坦状に折り畳み、閉塞された袋体１の下端開口部１ｂの折り畳み部分Ｒを、折り返した前記開閉索条体５を仮止め係止部６ａに連繋させることで保持し、また、運搬物Ｐの運搬時では、前記開閉索条体５を連繋索条体６を介して揚重機器フックＱに係掛可能として成るものである。
また、開閉索条体５を形成する複数の帯紐は、先端側に吊持用フック部４を備えた主帯紐５ａと、該主帯紐５ａを中心にして配された左右一対の副帯紐５ｂ，５ｃと、主帯紐５ａ、副帯紐５ｂ，５ｃ相互間に配した左右一対の補助帯紐５ｄ，５ｅとから成り、両副帯紐５ｂ，５ｃの各端が主帯紐５ａの吊持用フック部４側近傍に結束縫合されて集束部３とし、補助帯紐５ｄ，５ｅの各端が両副帯紐５ｂ，５ｃそれぞれの途中に縫合されて成るものとすることができる。
あるいは、開閉索条体５を形成する複数の帯紐は、先端側に吊持用フック部４を備えた主帯紐５ａと、該主帯紐５ａを中心にして左右に配された複数の副帯紐５ｂ，５ｃ，５ｄ，５ｅとから成り、これら副帯紐５ｂ，５ｃ，５ｄ，５ｅの各端が主帯紐５ａの吊持用フック部４側近傍に結束縫合されて集束部３としているものとできる。
【０００８】
以上のように構成された本考案に係る揚重機器用運搬袋にあって、袋体１の仮止め係止部６ａあるいは連繋索条体６を介して揚重機器フックＱに係掛可能とした開閉索条体５は、袋体１の下端開口部１ｂにおける折り畳んで閉塞された折り畳み部分Ｒを下方から保持させ、袋体１内に収容した運搬物Ｐを下方から支持させる。
開閉索条体５は、これの仮止め係止部６ａへの連繋は、袋体１内に運搬物Ｐを投入するときに袋体１の上端開口部１ａを大きく開口させておき、投入作業を円滑に行わせる。また連繋索条体６を介しての揚重機器フックＱへの係掛連繋は、運搬物Ｐの運搬中において袋体１の下端開口部１ｂを開放させず、安全に運搬させる。こうしたときの開閉索条体５の仮止め係止部６ａ、連繋索条体６それぞれに対する連繋替え作業は、作業員をして自身の目前で遂行させ得る。
開閉索条体５を構成する主帯紐５ａと複数の副帯紐５ｂ，５ｃ，５ｄ，５ｅとによって袋体１の下側開口部の折り畳み部分Ｒを下方から支持させる。
また、補助帯紐５ｄ，５ｅの各端が両副帯紐５ｂ，５ｃそれぞれの途中に縫合されて成る開閉索条体５は、折り畳み部分Ｒを下方から保持させる際に、副帯紐５ｂ，５ｃと補助帯紐５ｄ，５ｅとの間に折り畳み部分Ｒの角部を係止し保持させる。
そして、連繋索条体６の連繋部７から開閉索条体５の吊持用フック部４を解くことにより、袋体１の下端開口部１ｂにおける折り畳み部分Ｒが開放させられ、開放された下端開口部１ｂから運搬物Ｐを所定の場所に落下させる。
さらに、連繋索条体６は、作業員の手の届かない高い位置にある揚重機器フックＱに対して当該連繋索条体６を予め取り付けておくことで、作業員の手近な高さ位置で開閉索条体５を揚重機器フックＱに連繋可能にさせる。
【考案の効果】
【０００９】
本考案によれば、周側面吊持帯２および連繋索条体６をクレーン・フォークリフト等の揚重機器フックＱに吊掛したままの状態で開閉索条体５を連繋索条体６から取り外すことにより、作業者自身で閉塞されている袋体１の下端開口部１ｂを容易に開放することができ、袋体１から運搬物Ｐを所定の場所に安全に落下させることができる。また、袋体１内への運搬物Ｐの投入時では袋体１の上端開口部１ａを大きく開口させておき、運搬時では袋体１の下端開口部１ｂを確実に閉塞させておくと共に、開閉索条体５の吊持用フック部４が常時前面にあることで、一連の作業を円滑に遂行できる。
【００１０】
すなわち、これは本考案が、運搬物Ｐの投入時では、平坦状に折り畳み、閉塞された袋体１の下端開口部１ｂの折り畳み部分Ｒを、折り返した開閉索条体５を仮止め係止部６ａに連繋させることで保持し、また、運搬物Ｐの運搬時では、前記開閉索条体５を連繋索条体６を介して揚重機器フックＱに係掛可能として成るからである。これにより、周側面吊持帯２および連繋索条体６をクレーン・フォークリフト等の揚重機器フックＱに吊掛したままの状態で開閉索条体５を連繋索条体６から簡単に取り外すことができ、作業者自身は閉塞されている袋体１の下端開口部１ｂを容易且つ安全に開放することができる。しかも、運搬前の運搬物Ｐの投入時において袋体１の下端開口部１ｂを閉塞するに際し、開閉索条体５を仮止め係止部６ａに連繋すれば良いから、従来のように、袋体１の側面に付設されている複数の環状の係掛部に挿通してから縛着固定させるというような面倒な作業を無くすことができる。このように、投入時では開閉索条体５を仮止め係止部６ａに、運搬時では開閉索条体５を連繋索条体６を介して揚重機器フックＱに係掛するよう、繋ぎ替えることで一連の作業を円滑に遂行できる。
【００１１】
また、開閉索条体５を形成する複数の帯紐は、先端側に吊持用フック部４を備えた主帯紐５ａと、該主帯紐５ａを中心にして配された左右一対の副帯紐５ｂ，５ｃと、主帯紐５ａ、副帯紐５ｂ，５ｃ相互間に配した左右一対の補助帯紐５ｄ，５ｅとから成り、両副帯紐５ｂ，５ｃの各端が主帯紐５ａの吊持用フック部４側近傍に結束縫合されて集束部３とし、補助帯紐５ｄ，５ｅの各端が両副帯紐５ｂ，５ｃそれぞれの途中に縫合されて成るので、主帯紐５ａ、副帯紐５ｂ，５ｃそれぞれによって袋体１の下側開口部１ｂの折り畳み部分Ｒを下方から確実に支持させることができる。と同時に、副帯紐５ｂ，５ｃと補助帯紐５ｄ，５ｅとの間に折り畳み部分Ｒの角部が係止させられることから、折り畳み部分Ｒのさらに安定した支持が可能となる。しかも、揚重機器フックＱに吊掛したままの状態での運搬中に、袋体１の下端開口部１ｂにおける折り畳み部分Ｒの角部が不用意に開放されてしまうのを未然に防止することができる。
【００１２】
あるいは、開閉索条体５を形成する複数の帯紐は、先端側に吊持用フック部４を備えた主帯紐５ａと、該主帯紐５ａを中心にして左右に配された複数の副帯紐５ｂ，５ｃ，５ｄ，５ｅとから成り、これら副帯紐５ｂ，５ｃ，５ｄ，５ｅの各端が主帯紐５ａの吊持用フック部４側近傍に結束縫合されて集束部３としているので、主帯紐５ａ、副帯紐５ｂ，５ｃ，５ｄ，５ｅそれぞれによって袋体１の下側開口部の折り畳み部分Ｒを下方から確実に支持させることができる。
【００１３】
また、開閉索条体５は、袋体１の上部に固定した仮止め係止部６ａに、袋体１の下端開口部１ｂを折り畳んだ折り畳み部分Ｒを保持した状態で連繋されることで、袋体１を確実に閉塞保持できると共に、袋体１の上端開口部１ａを大きく開口できて、運搬物Ｐの袋体１内への投入作業を迅速に行える。
【００１４】
しかも、開閉索条体５は、連繋索条体６を介して揚重機器フックＱに係掛させるため、開閉索条体５自体を揚重機器フックＱに届く程度の十分な長さに形成しなくても済み、１本の連繋索条体６だけでもって開閉索条体５を揚重機器フックＱに容易に連繋させることができる。このように連繋索条体６を採用したことで、揚重機器フックＱが作業員の手の届かない高い位置にあっても、連繋索条体６を揚重機器フックＱに予め取り付けておくことで、作業員の手近な高さ位置で開閉索条体５を連繋索条体６を介して揚重機器フックＱに連繋できる。
【００１５】
そればかりでなく、開閉索条体５の仮止め係止部６ａ、連繋索条体６それぞれへの連繋替え、開閉索条体５自体を開放するときも作業員は地上で簡単に扱え、さらに、連繋索条体６によって袋体１の下側開口部１ｂを閉塞する開閉索条体５を揚重機器フックＱにしっかりと連繋でき、運搬中に開くことがない。
【００１６】
尚、上記の課題を解決するための手段、考案の効果の項それぞれにおいて付記した符号は、図面中に記載した構成各部を示す部分との参照を容易にするために付したもので、図面中の符号によって示された構造・形状に本考案が限定されるものではない。
【図面の簡単な説明】
【００１７】
【図１】本考案を実施するための一形態を示す運搬袋の概略斜視図である。
【図２】同じく使用するときの作業手順を示す概略斜視図であり、その（ａ）は使用前、（ｂ）は下端開口部を閉塞し、運搬物を投入している状態、（ｃ）は開閉索条体を仮止め係止部から連繋索条体に連繋替えしたとき、（ｄ）は運搬中を夫々示す。
【図３】同じく下端開口部を閉塞させた状態の概略正面図である。
【図４】同じく荷降ろし時の状態を示すもので、（ａ）は開閉索条体による下端開口部の閉塞時の一部を省略した断面図、（ｂ）は開放時を示す一部を省略した断面図である。
【図５】開閉索条体の他例を示す運搬袋の概略斜視図である。
【図６】同じく下端開口部を閉塞させた状態の概略正面図である。
【考案を実施するための形態】
【００１８】
以下、図面を参照して本考案の実施の形態を詳細に説明すると、図において示される符号１は、例えば粉末状、粒状、顆粒状、塊状等の自然に崩落性のある運搬物Ｐ等が内部に入れられるようにした袋体である。該袋体１は、図示を省略したクレーン・フォークリフト等の揚重機器フックＱに吊掛されることで、運搬物Ｐを目的地に運搬するための揚重機器用運搬袋を構成する所謂トン袋またはコンテナバッグ等と称されて使用されるものとしてある。
【００１９】
運搬物Ｐは例えば農作業、土木建築作業その他の作業現場において運搬される土砂、石材、セメント材等の小さな破砕物、穀物、雑穀、芋、玉葱等の農産物や肥料、また産業廃棄物さらには各種の大小物体・品等の重量性もしくは軽量性のある各種のものであり、例えば重量性のものである場合にはその約１トンの運搬物Ｐが入れられる程度の大きさのものとしてある。通常使用されるものとするときの袋体１は、生地が例えばポリエステル樹脂等の合成樹脂製材生地によって、例えば高さ約１７００ｍｍ、偏平時の横径幅が約１７００ｍｍの円筒状に形成してある。
【００２０】
尚、本考案に係る運搬袋は、上述した土木建築作業、農作業等に際する各種の粉末状、粒状、顆粒状、塊状の運搬物Ｐに限らず、他の産業分野における各種の運搬物Ｐの移動運搬に利用できるのであり、その適用範囲は特に限定されるものではない。
【００２１】
袋体１の周側面には、揚重機器フックＱに対し夫々が抜脱可能となるように係掛して袋体１を吊持させるための引張強度の強靱な帯材等により形成された例えばループ状もしくはＵ字状等の複数の周側面吊持帯２を設けてある。すなわち、袋体１の上端開口部１ａには、帯材の両端側が袋体１に縫合され、途中を開口部上方に延出させることで周側面吊持帯２がＵ字状となって突出形成されており、これを袋体１の上端開口部１ａ周縁部の例えば２箇所等に設けてある。このように、それぞれの周側面吊持帯２をＵ字状の構造のものとすることで、揚重機器フックＱに対する係掛あるいは解除が容易となり、作業性に優れたものとなる。また、周側面吊持帯２は運搬物Ｐの荷重が掛かる袋体１の底部近傍の位置にまで延伸しておくことで、運搬・移送中の荷重支持を一層確実なものとすることができる。さらに、袋体１の周側面には、複数の補強用横ベルト９が互いに等間隔毎に巻着され袋体１自体に縫合されている。
【００２２】
袋体１の下端開口部１ｂは下方へ向けて垂下状に延長されており、該下端開口部１ｂは平坦状に閉塞されて、これを下端から袋体１の側面にかけて例えば二重に折り畳むことで折り畳み部分Ｒが形成されるようにしてある。
【００２３】
また、袋体１の側面下部には、複数の帯紐の各一端側が任意の間隔で縫合され且つ各他端側が後述する集束部３を介して結束固定されて成る開閉索条体５が設けられており、さらに該開閉索条体５の集束部３の近傍位置には、開閉される吊持用フック部４が取り付けられている。
【００２４】
すなわち、開閉索条体５は、図１に示すように、中央にある１本の主帯紐５ａの一端側が袋体１の側面下部に縫合され、主帯紐５ａの他端側に吊持用フック部４が取り付けられる。また、中央の主帯紐５ａが縫合されている袋体１の左右対称位置には各１本の副帯紐５ｂ，５ｃの一端側が袋体１の側面に縫合され、両副帯紐５ｂ，５ｃの各他端側が主帯紐５ａの吊持用フック部４側近傍に縫合されて集束部３となっている。さらに、主帯紐５ａと副帯紐５ｂ，５ｃとが縫合されている各相互間には、それぞれ短尺な補助帯紐５ｄ，５ｅの各一端側が袋体１の側面に縫合され、両補助帯紐５ｄ，５ｅの各他端側が両副帯紐５ｂ，５ｃそれぞれの途中に縫合されている。
【００２５】
そして、図３に示すように、袋体１の下端開口部１ｂが平坦状に折り畳まれることで形成された折り畳み部分Ｒを開閉索条体５の折り返しによって下側から当てがうようにして支え、吊持用フック部４を後述する仮止め係止部６ａに連繋させ、あるいは連繋索条体６を介して揚重機器フックＱに係掛させるものとしてある。このとき、主帯紐５ａと副帯紐５ｂ，５ｃとによって袋体１の下側開口部の折り畳み部分Ｒを下方から支えると同時に、副帯紐５ｂ，５ｃと補助帯紐５ｄ，５ｅとの間に折り畳み部分Ｒの角部が係止して安定に保持されるようにしてある。
【００２６】
仮止め係止部６ａは、袋体１の周面上部に、例えばループ状・リング状に閉塞された帯紐材によって形成されることで固定されており、開閉索条体５の基部とは反対側の袋体１の周面に配置されている。この仮止め係止部６ａに開閉索条体５の吊持用フック部４が連繋されることで、袋体１の下端開口部１ｂの閉塞状態が、運搬物Ｐの投入時に維持されるものとしてある。
【００２７】
連繋索条体６は、一端に開閉索条体５の吊持用フック部４を連繋可能とする例えば孔状に形成の、あるいは堅牢な環材から成る連繋部７を備え、他端に揚重機器フックＱに係掛可能な丸環もしくはフック等の係掛部８を備えている。そして、連繋索条体６自体は、袋体１の上側開口部周側面に環状となって縫合されている紐通し部１０に例えば挿通して使用されるものとなっている。
【００２８】
このように連繋索条体６を採用したことで、揚重機器フックＱが作業員の手の届かない高い位置にあっても、連繋索条体６を揚重機器フックＱに予め取り付けておくことで、作業員の手近な高さ位置で開閉索条体５は連繋索条体６を介して揚重機器フックＱに連繋される。しかも、開閉索条体５を開放するときも作業員は地上で簡単に扱えるものとなるのである。
【００２９】
また、開閉索条体５の他例としては、図５および図６に示すように、中央にある１本の主帯紐５ａの一端側が袋体１の側面に縫合され、主帯紐５ａの他端側に吊持用フック部４が取り付けられると共に、中央の主帯紐５ａが縫合されている袋体１の左右対称位置に各２本の副帯紐５ｂ，５ｃ，５ｄ，５ｅの各一端側が任意の間隔で縫合され、これら副帯紐５ｂ，５ｃ，５ｄ，５ｅの各他端側が主帯紐５ａの吊持用フック部４側近傍に集束部３を介して結束縫合されているものとしても良い。
【００３０】
次に、以上のように構成された形態についての使用の一例について説明すると、図２（ｂ）に示すように、先ず、袋体１の下端開口部１ｂを平坦状に閉塞し、これを下端から袋体１の側面にかけて例えば二重に折り畳んで折り畳み部分Ｒを形成しておく。そして、開閉索条体５の折り返しによって折り畳み部分Ｒを下方から抱えるようにして支え、開閉索条体５の吊持用フック部４を仮止め係止部６ａに連繋する。このようにして、開閉索条体５を構成する主帯紐５ａと副帯紐５ｂ，５ｃとによって袋体１の下端開口部１ｂの折り畳み部分Ｒを下方から支えた状態で、袋体１の上端開口部１ａから運搬物Ｐを投入し、袋体１内部に前記各種の運搬物Ｐを詰め込む。
【００３１】
袋体１内への運搬物Ｐの詰め込みが終了すると、開閉索条体５の吊持用フック部４を仮止め係止部６ａから取り外し、今度は図２（ｃ）に示すように、紐通し部１０に取り付けられている連繋索条体６の連繋部７に開閉索条体５の吊持用フック部４を連繋する。その後、図２（ｄ）、図４（ａ）に示すように、周側面吊持帯２、および連繋索条体６の丸環もしくはフック等の係掛部８をクレーン、フォークリフトその他の所定の重機である各種の揚重機器フックＱに掛着させて目的の場所に移送する。このとき、袋体１の下側開口部の折り畳み部分Ｒは、投入された運搬物Ｐの荷重圧力によって膨らもうとするが、揚重機器フックＱに吊り下げられて上方に引っ張られた状態の開閉索条体５によって折り畳み部分Ｒを角部と共に下方から支えているため、当該折り畳み部分Ｒの開放が阻止されている。
【００３２】
運搬物Ｐを所定の目的落下場所において落下させる場合には、図４（ｂ）に示すように、その落下場所で一旦は袋体１を置き、連繋索条体６の連繋部７から開閉索条体５の吊持用フック部４を取り外して袋体１の下端開口部１ｂを開放させると共に周側面吊持帯２は揚重機器フックＱに取付けた状態としたままとして、袋体１を引き上げる。このとき、袋体１に内包された重量性のある運搬物Ｐの自重に任せて当該運搬物Ｐを袋体１の下端開口部１ｂを通して所定の位置に落下させるのである。
【００３３】
落下させた後の袋体１は、これ自体が円筒状に形成されているから、偏平状に折り畳み、折り畳んだ状態ではコンパクトになるから、それによって詰め込み場所まで運び、同様に使用し、場合によってはそのまま保管し、次回の使用に備える。
【符号の説明】
【００３４】
Ｐ…運搬物                              Ｑ…揚重機器フック
Ｒ…折り畳み部分
１…袋体                                １ａ…上端開口部
１ｂ…下端開口部                        ２…周側面吊持帯
３…集束部                              ４…吊持用フック部
５…開閉索条体                          ５ａ…主帯紐
５ｂ，５ｃ…副帯紐                      ５ｄ，５ｅ…補助帯紐
６…連繋索条体                          ６ａ…仮止め係止部
７…連繋部                              ８…係掛部
９…補強用横ベルト                      １０…紐通し部
【図１】
0003153193.tif 000003
【図２】
0003153193.tif 000004
【図３】
0003153193.tif 000005
【図４】
0003153193.tif 000006
【図５】
0003153193.tif 000007
【図６】
0003153193.tif 000008